(57)【特許請求の範囲】
【請求項１】
プリント基板に電子部品を装着し半田付けを行うことによりプリント基板を組み立てる基板組立ラインを構成する複数の種類の各要素装置の管理を行う基板組立ラインの管理装置において、管理対象とする要素装置を要素装置の種類のグループ毎に分けて登録させるためのセットアップ画面を表示する表示手段を設けたことを特徴とする基板組立ラインの管理装置。
【請求項２】
プリント基板に電子部品を装着し半田付けを行うことによりプリント基板を組み立てる基板組立ラインを構成する複数の種類の各要素装置の管理を行う基板組立ラインの管理装置において、画面を表示する表示手段と、管理対象とする要素装置をライン毎に分けて登録させるためのセットアップ画面を記憶するライン表示画面記憶部と、管理対象とする要素装置を要素装置の種類のグループ毎に分けて登録させるためのセットアップ画面を記憶するグループ表示画面記憶部と、前記表示手段に前記両画面記憶部のいずれかの画面を表示するかを切り替えるために操作する切替操作手段を設けたことを特徴とする基板組立ラインの管理装置。
【発明の詳細な説明】
【０００１】
【発明の属する技術分野】
本発明は、プリント基板に電子部品を装着し半田付けを行うことによりプリント基板を組み立てる基板組立ラインを構成する各要素装置の管理を行う基板組立ラインの管理装置に関する。
【０００２】
【従来の技術】
この種基板組立ラインの管理装置として、特開平６−１１２６９８号公報に記載されたものが知られている。この従来技術によれば、プリント基板にペースト半田を印刷するスクリーン印刷機と、半田が印刷された基板に接着剤を塗布する塗布装置と、接着剤が塗布された位置に電子部品を装着する電子部品装着装置と、半田をリフローして部品を基板に半田付けするリフロー炉等の装置が基板組立ラインを構成して、プリント基板の組立が行われている。通常このようなラインが複数工場内に設置されているが、これらラインを構成する要素装置は管理装置であるコンピュータに通信可能に接続され、各種のデータがこのコンピュータと要素装置との間でやりとりされ管理されている。
【０００３】
このような管理装置であるコンピュータはそのＣＲＴ等の表示画面にて、各要素装置の状況を示す管理データを確認できるよう各装置を表す例えば装置名称（装置タイプ）等で一覧表示し、その装置名称等からその装置の状態を示す情報を得る操作をして情報を得ていた。または、その装置にアクセスして必要なデータを送るようにしていた。
【０００４】
このように装置名称等を一覧表示する場合には、表示画面にはライン毎にそのラインに属する装置名称を横方向に並べて表示し、それらを縦方向に並べて表示していた。
【０００５】
従って、該画面を表示させるために装置名称等装置に関する情報をコンピュータに登録させるときには、ライン毎に登録していた。
【０００６】
【発明が解決しようとする課題】
しかし、前記従来技術ではライン毎に表示されるのみであるため、ライン群を管理する操作者に都合のよい表示とすることができない不都合があった。例えば、ラインに関係なく電子部品装着装置について比較してこれら装置の情報を見たい場合であっても、表示を変更することができず不便であった。
【０００７】
また、これら装置の表示の際には、装置名称のみを表示しており、その装置がどの装置であるのかを操作者が簡単に把握することができず、管理が迅速に行えないという不都合もあった。
【０００８】
そこで本発明は、基板組立ラインを管理する管理装置の表示画面を管理しやすいものとすることを目的とする。
【０００９】
【課題を解決するための手段】
このため本発明は、プリント基板に電子部品を装着し半田付けを行うことによりプリント基板を組み立てる基板組立ラインを構成する複数の種類の各要素装置の管理を行う基板組立ラインの管理装置において、管理対象とする要素装置を要素装置の種類のグループ毎に分けて登録させるためのセットアップ画面を表示する表示手段を設けたとを設けたものである。
【００１０】
また本発明は、プリント基板に電子部品を装着し半田付けを行うことによりプリント基板を組み立てる基板組立ラインを構成する複数の種類の各要素装置の管理を行う基板組立ラインの管理装置において、画面を表示する表示手段と、管理対象とする要素装置をライン毎に分けて登録させるためのセットアップ画面を記憶するライン表示画面記憶部と、管理対象とする要素装置を要素装置の種類のグループ毎に分けて登録させるためのセットアップ画面を記憶するグループ表示画面記憶部と、前記表示手段に前記両画面記憶部のいずれかの画面を表示するかを切り替えるために操作する切替操作手段を設けたものである。
【００１３】
【発明の実施の形態】
以下本発明の一実施形態を図に基づき詳述する。
【００１４】
図２において、１は図示しない電子部品をプリント基板３（図３参照）に実装することによりプリント基板３を組み立てる基板組立ラインとしての電子部品実装ラインである。工場内には図２に示すように複数の実装ライン１が設置されており各ライン１は複数の要素装置より構成されている。例えば、Ａラインは以下の要素装置より構成されている。即ち、ライン１の最初の位置には部品実装前のプリント基板３を多数枚収納して下流の要素装置に基板３を供給する１つの要素装置であるローダ４が配置され、その下流にはローダ４から供給された基板３に図示しないクリーム半田（半田ペースト）をスクリーンを介して所定のパターンで印刷するスクリーン印刷機５が配置されている。スクリーン印刷機５の下流には接着剤を基板３上の所定の位置に塗布する図３に示す塗布装置６が配置されている。塗布装置６から排出された基板３は所謂チップマウンタと呼ばれる電子部品自動装着装置７に供給され、塗布装置６で塗布された接着剤の位置に電子部品が装着される。部品装着後の基板３は次に配置されているリフロー炉８に搬送され、リフロー炉８では接着剤の硬化及びクリーム半田の溶融による部品の半田付けが行われる。半田付けが終了した基板３はライン１の最後に位置する基板収納装置９に収納される。
【００１５】
ライン１の要素装置の構成は種々あり、電子部品自動装着装置７のような高速タイプと言われる装置のみでなく、ＸＹテ−ブルに搭載された装着ヘッドが部品を基板３に装着するタイプの電子部品自動装着装置１０を同じライン１に配置したり、塗布装置６が配置されていなかったりする場合などある。
【００１６】
これらの各要素装置の代表的なものについて以下説明する。
【００１７】
塗布装置６は図３に示すようにシリンジ１２内に貯蔵された接着剤がシリンジ１２先端の吐出ノズル１４より吐出され、シリンジ１２が固定された塗布ヘッド１５が上下してＸＹテ−ブル１１が移動して所望の位置にプリント基板３が位置決めされ接着剤の塗布がなされる。
【００１８】
電子部品自動装着装置７は所謂高速型とよばれるものであり、ロータリテーブル１７の周りに装着ヘッド１８が複数配置され、該ロータリテーブル１７が間欠的に回転して、各ヘッド１８が図示しない部品供給部から電子部品を真空吸着により取出した後搬送して、所定の装着位置にてＸＹテ−ブル１９で所望の位置に位置決めされたプリント基板３に該部品が装着されるものである。
【００１９】
これら各要素装置は管理装置としてのコンピュータ２０に接続可能になされており、コンピュータ２０は各ライン１の各要素装置との情報のやりとりにより各装置の管理を行う。
【００２０】
図５に示すように、コンピュータ２０にはハードディスク及び所謂ＲＡＭ等から構成される記憶部２１と該記憶部２１に記憶されたデータにより通信などコンピュータ２０の各種の動作を制御する制御部２２が設けられている。
【００２１】
また、コンピュータ２０にはさらに所謂ポインティングデバイスであるマウス２５が接続され、該マウス２５にはクリックキー２６が設けられている。
【００２２】
また、コンピュータ２０には表示手段としてのＣＲＴ２８が接続されていると共に、アルファベットなどを入力するキーボード２４が接続されている。
【００２３】
コンピュータ２０には各ライン１を構成する要素装置が接続されている。この接続は各要素装置よりコンピュータ２０にマルチプレクサなどの装置を介して直接接続されるようにしてもよいし、ＬＡＮネットワークを形成して接続されるようにしてもよい。
【００２４】
以下動作について説明する。
【００２５】
先ず、コンピュータ２０に接続されている各ライン１の要素装置をコンピュータ２０に登録するセットアップ操作について説明する。
【００２６】
コンピュータ２０の電源を投入して所定の操作によりセットアップ画面がＣＲＴ２８の画面に表示される。
【００２７】
最初の画面では２列分のライン名の表示が左側の枠内になされ、１番上のライン名の表示枠の隣にのみ枠で囲まれ電子部品自動装着装置７を示す装置型名などが示されて形成されたボタン２９が１つ表示された状態となっている。
【００２８】
この画面にて、図示しないマウスカーソル３０をマウス２５を操作してライン名の表示枠内に移動させると、この枠内の括弧内にキーイン用の図示しないカーソルが表示される。
【００２９】
次に、このラインの名称をアルファベットの１文字で表示するため、例えば「Ａ」とキーインすると、カーソルの位置にＡが表示される。この表示されたラインは図２のＡラインに相当するものである。
【００３０】
この状態でこのＡラインの各要素装置でコンピュータ２０に接続されている装置について、ボタン２９（図８参照）として画面上に表示させ登録する動作を行うが、この動作の詳細について説明する。
【００３１】
先ず、マウス２５の操作によりマウスカーソル３０を装置タイプ「Ｃ３０００」でライン−Ｎｏ「Ａ−０１」と表示されているボタン２９の枠内に移動させる。
【００３２】
ここで、クリックキー２６をクリックして（押し）、操作表示部３３内の編集にマウスカーソル３０を合わせてクリックキー２６をクリックすると、編集を選択する図示しないサブメニューが表示された選択用表示枠が表示されこの中から挿入を選択すると、図６に示す挿入ダイアログボックスがそれまで出ていたセットアップ画面の上に重ねて表示される。
【００３３】
ここで、装置タイプに「Ｄ１１００」、ライン−Ｎｏに「Ａ−１０」、愛称に「Ｄｉｓｐｅｎｓ１」、通信ポートに「ｃｏｍ１」とキーインして通信形式の欄にも所定の形式を入力し、マウスカーソル３０を「ＯＫ」に合わせてクリックキー２６をクリックすると、セットアップ画面のライン［Ａ］の列にてＡラインに配置されている塗布装置６を示すボタン２９が電子部品自動装着装置７を示す「Ｃ３０００」のボタンの左隣に挿入して表示される。
【００３４】
尚、装置タイプとは、装置の型式名であり、ライン−Ｎｏはその型式の装置が複数ある場合に各装置を区別するための番号であり、愛称は管理する操作者が独自に設定できる名称である。通信ポートとはその要素装置が接続されているコンピュータ２０の通信ポートを示す。
【００３５】
また、アイコン３１（図８参照）がその装置タイプに応じて表示される。
【００３６】
次に、同様にしてスクリーン印刷機５を示す装置タイプ「Ｐ１１００」のボタン２９及びローダ４を示す装置タイプ「Ｓ１０００」のボタン２９が同様にしてライン［Ａ］の列に表示される。
【００３７】
次に、ライン［Ａ］の表示枠の下に表示されているライン名の表示枠にマウスカーソル３０を移動させ次に登録したい図２のＢラインのために「Ｂ」を前述と同様にキーインさせる。
【００３８】
次に、このライン［Ｂ］の表示枠にマウスカーソル３０を位置させながらクリックキー２６をクリックして前述と同様に操作表示部３２の編集をクリックすると前述と同様な編集のサブメニューの種類の選択用表示枠が表示され、追加を選択することにより図７に示す追加ダイアログボックスが表示され、前述する挿入ダイアログボックスの場合と同様に装置タイプなどを入力して「ＯＫ」をクリックすることにより、セットアップ画面のライン［Ｂ］の表示枠の右隣にスクリーン印刷機５を示す装置タイプ「Ｐ１１００」、ラインＮｏ「Ｂ−０５」のボタン２９が表示される。実際にはライン１に印刷機５の前にローダ４が配置されているが、管理の対象として必要なければ、このように表示させないようにすればよい。
【００３９】
この、スクリーン印刷機５を示すボタン２９上にマウスカーソル３０を位置させてクリックキー２６をクリックして該ボタン２９の表示色を反転させ、操作表示部３２の編集をクリックし、追加ダイアログボックスを表示させることで、その右隣に塗布装置６のボタン２９を表示させることができる。
【００４０】
また、印刷機５のボタン２９が表示されると同時にライン［Ｂ］の表示枠の下側に新しいラインの表示枠が表示され、ラインを増やすことが可能となる。
【００４１】
このようにして、管理対象としたい各要素装置をセットアップ画面に表示させて、例えば図８にに示すようにライン毎のセットアップ画面を完成させることができる。各ボタン２９には、設定した名称などと各装置タイプに応じて予め記憶されているアイコン３１が表示される。図８において、ライン［Ａ］の「Ｃ３０００」のボタン２９の表示色が反転しているが、この反転しているボタン２９がマウスカーソル３０にて選択され、このボタン２９を基準に追加、挿入等の編集の動作がなされるのである。また、図８の画面には設定可能なライン１の全部を表示することはできず、上下左右に画面をスクロールすることにより、表示させたいライン１の表示させたい装置についてのボタン２９を画面上に表示させることができる。このようにしてライン表示画面記憶部である記憶部２１内のＲＡＭ内に現在画面上に表示されている要素装置をライン毎に分けて登録させるためのセットアップ画面が記憶されていることとなる。
【００４２】
次に、セットアップ画面内の操作表示部３３の「表示」と記載された部分にマウスカーソル３０を移動させてクリックキー２６をクリックさせると、図９に示すように、図８に示すライン毎のセットアップ画面の表示をグループ毎の表示に切り替えるためのサブメニューを表示した選択用表示枠が表示される。
【００４３】
この枠内でグループのコマンドを選択すると、図１に示すようなグループ毎の表示に切り変わる。但し、ライン毎のセットアップ画面の登録しか行っていないので、画面はラインの表示の代わりにグループの表示がされているが、各ボタン２９の配列は同じである。即ち、ラインの表示がグループの表示に換わったのみの画面となっており、図８の画面とは異なるものである。
【００４４】
この図１の画面で、グループを同じ種類の要素装置毎に登録したい場合には、即ち、ローダ４同士を同じグループ、電子部品自動装着装置７同士を同じグループにしたい場合には、そのように並び替える操作を行う。
【００４５】
並び替えを行う前に、グループの名称をキーインすることができるのでグループ名をキーインしたい表示枠にマウスカーソル３０を移動させるとキーイン用のカーソルが表示されるので、キーボード２４より操作者の管理しやすい名称をキーインしていく。
【００４６】
次に、先ずライン［Ａ］の「Ｃ３０００」のボタン２９にマウスカーソル３０を合わせクリックキー２６をクリックし、操作表示部３２の編集にマウスカーソル３０を合わせて、クリックすることで前述と同様な編集のコマンドが選択できるが、移動というコマンドを選択する。
【００４７】
次に、移動させたい場所を選択するのであるが、グループ名［Ｍｏｕｎｔｅｒ］の一番左端に移動させたい場合には、現在その一番左端にあるボタン２９の位置にマウスカーソル３０を移動させてクリックキー２６をクリックすることで、その左端の位置に「Ｃ３０００」のボタン２９が表示され移動が完了する。
【００４８】
このようにしてボタン２９の並べ替えを行い、図１のように表示させることが可能となる。
【００４９】
このとき、操作表示部３２の「表示（Ｖ）」にマウスカーソル３０を移動させクリックし、図９の選択用表示枠を表示させラインのコマンドを選択すれば、図８の通りのライン毎のセットアップ画面を表示させることができ、このようにグループ毎かライン毎の画面を切り替えて表示させることができる。このような切替は切替操作手段としてのマウス２５及び制御部２２の動作によるものであり、図８のようにライン毎に作成されるセットアップ画面と、図１のようにグループ毎に作成されるセットアップ画面の両者が記憶部２１内のＲＡＭに記憶されているもので、両者の画面で一番後に編集されたものが常に切替表示されるものである。
【００５０】
図１のようにグループ毎のセットアップ画面では任意に各要素装置のボタン２９をグループ分けすることができ、そのグループの名称も任意にキーインすることができる。
【００５１】
このように、両方の画面での登録が終了すると、どちらかの画面で操作表示部３２の「ファイル（Ｆ）」をマウスカーソル３０で選択すると、保存のコマンドが選択可能なサブメニューの選択用表示枠が表示され、保存を選択することにより、所定のファイル名にて、図８及び図１の両画面の内容が保存される。この保存は記憶部２１のハードディスク内の所定領域に記憶されることにより行われる。
【００５２】
このように保存した後、セットアップの操作を終了したい場合には、所定の操作で終了させることができ、図８若しくは図１の画面から他の画面にＣＲＴ２８の画面は移行する。
【００５３】
次に、所定の操作にて図１０に示すようなライン管理の画面を表示させることができる。図１０は図８で設定して登録したライン毎の表示と同じ配列となっており、各装置を示す枠内には、図８で設定した装置タイプ、ライン−Ｎｏが表示愛称がされると共に、図８で表示されていた通りのアイコン３１が表示され、どの装置であるかが操作者にすぐに分かるようにしている。また、各枠内には、装置が運転中であるか、停止中であるか、または異常が起こって停止中であるか、プリント基板３が上流の装置より搬送されてくるのを待機中であるかどうか等を示す装置の運転状態を示すと共に、生産している基板３の種類である機種名を示し、現在その機種の基板３を何枚仕上げたかを示す生産枚数の情報が表示され、各要素装置の情報が一括して確認でき管理できるようになされている。
【００５４】
このなかで、ライン［Ｇ］の左端の「Ｓ１０００」の装置について表示色が薄くなっているが、この装置は通信しようとしたが、実際には接続されていないことを示している。
【００５５】
これらの装置の状態は所定のタイミングで各要素装置とコンピュータ２０が通信することにより情報が伝達され表示されるものであり、例えば、生産枚数は、基板３がその装置での作業が終了するごとに伝達される。
【００５６】
次に、このライン管理の画面においても、ライン毎とグループ毎に表示を切り替えることができ、図１０の画面で操作表示部３２の「表示（Ｖ）」をクリックすることにより前述と同様に図９の選択用表示枠が表示され、コマンドのグループを選択することにより図１１のグループ毎のライン管理画面を表示する。この配列は図１で設定して保存した通りの配列で表示され、各装置の枠内で表示されるデータは図１０の画面で表示される内容と同じものであるが、例えば、図１１の場合には、装置タイプ毎にグループ分けされていて、電子部品自動装着装置７同士でその生産枚数を一括して比較したい場合には並べて表示してあるため比較しやすく便利であり、管理が容易となっている。また、この装置毎にさらに詳しい情報を知りたい場合には、各装置の枠内にマウスカーソル３０を移動させて、所定の装置をクリックすることによりその装置の種々の詳しい情報を知ることができ、その情報を同じグループとした同じ装置タイプ同士で比較したい場合でも同じグループとして一列に並んでいることが分かっているため操作も行い易く便利である。
【００５７】
このライン管理の画面においても、操作表示部３２の表示のクリックにより適宜、ライン毎及びグループ毎の表示の切替が可能である。
【００５８】
次に、ライン管理の画面だけでなく、例えば必要なデータを各要素装置に伝送するための通信画面においても、図１及び図８に示すような配列の画面とすることができ、例えば同じデータを同じ装置タイプの各装置に送りたい場合など、グループ毎の配列の画面で送れば、装置を見つける手間が省けて都合がよい。
【００５９】
次に、各画面で表示されるアイコン３１は図８で装置を登録する場合に装置タイプに応じて自動的に付与されるが、管理する操作者が各装置について都合がよい、あるいは分かり易いアイコン３１を登録したい場合あるいは、装置タイプが同じであっても異なる装置毎に異なるアイコン３１を表示させ、区別がつきやすいようにしたい場合には、以下のようにしてアイコン３１を変更する。
【００６０】
即ち、図１または図８のセットアップ画面にてマウスカーソル３０にて変更したい装置のボタン２９に移動してクリックキー２６をクリックして選択し、操作表示部３２の編集をクリックすると、図示しない選択用表示枠が表示され、「アイコンの変更」のコマンドが選択できる。
【００６１】
該コマンドを選択すると、図１２に示すアイコンの変更ダイアログボックスが表示される。
【００６２】
この画面にて、他のアイコン作成ツールで作成したアイコンのファイル名をファイル名の欄にキーインすることにより、アイコンの選択と表示された欄にそのアイコン３１が表示され、そのアイコン３１がよければ、「ＯＫ」をクリックすることによりアイコンが先に選択された要素装置について変更されて登録する。このとき制御部２２が登録手段として機能する。他のアイコン作成ツールで作成してファイル名で呼び出したアイコン３１が複数ある場合にはアイコンの選択の欄で１つずつ表示させ、使いたいものが表示されたときに「ＯＫ」をクリックすることによりその選択されたアイコンが表示される。また、該アイコンの変更のダイアログボックスが変更のコマンドの選択により表示されたときには、予め作成されて、記憶部２１内に記憶されているアイコン群のファイル名が表示されており、その中のアイコン３１を選択することにより他のアイコン３１が選択して登録されることができる。
【００６３】
このようにして変更されて登録されたアイコン３１はセットアップ動作後の保存によりハードディスク内に保存され、図１１及び図１２のようにライン管理の画面が表示された場合に変更されたアイコン３１が表示され、管理する操作者にとって管理しやすいものとなる。
【００６４】
【発明の効果】
以上のように本発明は、管理対象とする要素装置を要素装置の種類のグループ毎に分けて登録させるようにしたので、管理する操作者が各要素装置を管理しやすい要素装置の種類毎に分けてそのグループ毎に表示させたり、管理することができ、都合のよい装置管理をすることができる。
【００６５】また、ライン毎に分けて登録させるためのセットアップ画面を記憶するライン表示画面記憶部と、要素装置を要素装置の種類のグループ毎に分けて登録させるためのセットアップ画面を記憶するグループ表示画面記憶部を切替手段に切替えて表示するようにしたので、ライン毎の表示とそれ以外の要素装置の種類のグループ毎の表示を両方とも持つことができ、場合に応じて管理しやすい画面の表示とすることができる。
【図面の簡単な説明】
【図１】セットアップ画面を示す図である。
【図２】電子部品実装ラインの配置を示す平面図である。
【図３】塗布装置を示す正面図である。
【図４】電子部品自動装着装置を示す斜視図である。
【図５】コンピュータを示す図である。
【図６】挿入ダイアログボックスを示す図である。
【図７】追加ダイアログボックスを示す図である。
【図８】セットアップ画面を示す図である。
【図９】サブメニューが表示された選択用表示枠を示す図である。
【図１０】ライン管理画面を示す図である。
【図１１】ライン管理画面を示す図である。
【図１２】アイコンの変更ダイアログボックスを示す図である。
【符号の説明】
１                    電子部品実装ライン（基板組立ライン）
３                    プリント基板
７                    電子部品自動装着装置（要素装置）
２０                コンピュータ
２１                記憶部（ライン表示画面記憶部）（グループ表示画面記憶部）
２２                制御部（切替操作手段）（登録手段）
２５                マウス（切替操作手段）
２８                ＣＲＴ（表示手段）
３１                アイコン
【図１】
0003561353.tif 000002
【図２】
0003561353.tif 000003
【図３】
0003561353.tif 000004
【図４】
0003561353.tif 000005
【図５】
0003561353.tif 000006
【図６】
0003561353.tif 000007
【図７】
0003561353.tif 000008
【図８】
0003561353.tif 000009
【図９】
0003561353.tif 000010
【図１０】
0003561353.tif 000011
【図１１】
0003561353.tif 000012
【図１２】
0003561353.tif 000013